(57)【特許請求の範囲】
【請求項１】
基端の軸部にねじが設けられており、他方にフック部が形成された取付金具と、この取付金具の軸部に挿通される絶縁体からなる碍子本体と、前記取付金具の軸部の端部に螺合されるナットとを備えた電気柵用電線碍子において、前記軸部の基端部と中間部との間にねじなし部を設けたことを特徴とする電気柵用電線碍子。
【発明の詳細な説明】
【０００１】
【産業上の利用分野】
本発明は、田畑に被害を与える害獣を電気的衝撃によって忌避させる電気柵に使用する裸電線を支持するための碍子に関するものである。
【０００２】
【従来の技術】
山間部やそこに近い農地では、猪や猿等の害獣が出現して作物を食い荒らす被害が深刻な問題として取り上げられている。このような被害を未然に防ぐために、図８に示すように、保護すべき農地の回りに所定間隔でポールＰを立て、このポールに碍子を取り付けて裸電線を張り巡らし、裸電線に高電圧を掛けて害獣が電線に触れたときの電撃で害獣を撃退する、いわゆる電気柵が使用されている。害獣は、最初は何度か電線に触れるが、その時の衝撃を嫌って、条件反射的に電気柵に近づかなくなるという効果がある。
【０００３】
裸電線をポールに支持するためには従来より、図９に示すような碍子が用いられている。
図９において、１１は取付金具、１１ａはねじが設けられている軸部、１１ｂは電気柵のポールＰに引っ掛けるためのフック部、１２は合成樹脂製の碍子本体、１３はポールＰに対して碍子本体１２を締め付けるために軸部１１ａにねじ込まれる蝶ナットである。
【０００４】
このような電線碍子においては、出荷時には取付金具１１と碍子本体１２と蝶ナット１３を組み立てて多数を梱包している。輸送時に蝶ナット１３が外れ紛失するのを防ぐため、蝶ナット１３は図１１のようにかなり深く取付金具１１にねじ込んでいる。
【０００５】
これをポールＰに取り付ける際は、図１１のようにかなり深くねじ込んである蝶ナット１３を緩めて図１０のように蝶ナット１３、碍子本体１２、取付金具１１を分離取り外し、ポールＰに取付金具のフック部１１ｂを引っ掛け取付金具の軸部１１ａを碍子１２の貫通穴１２ａに挿入させ、蝶ナット１３をかなり長いストローク分だけ回し締め付け取り付けている。図１２が取付完了図である。
【０００６】
【発明が解決しようとする課題】
このように、従来の電線碍子では、取付金具１１の軸部１１ａ全体にねじが設けられているため、蝶ナット１３をかなり長いストローク分だけ緩めたり締め付けたりする必要があり、作業が煩雑化し、電気柵全体では数百個も碍子を取り付けなければならないため、手間と時間が長くかかり過ぎるという問題が指摘されていた。
【０００７】
本発明が解決すべき課題は、蝶ナットの緩めや締め付けの作業が短時間で行なえる構造の電気柵用電線碍子を提供することにある。
【０００８】
【課題を解決するための手段】
前記課題を解決するため、本発明の電気柵用電線碍子は、基端の軸部にねじが設けられており、他方にフック部が形成された取付金具と、この取付金具の軸部に挿通される絶縁体からなる碍子本体と、前記取付金具の軸部の端部に螺合されるナットとを備えた電気柵用電線碍子において、前記軸部の基端部と中間部との間にねじなし部を設けたものである。
【０００９】
【作用】
取付金具の軸部の中間部にねじなし部を設けたことにより、ナットは回す作業を要することなくねじなし部を通過でき、締め付け及び緩め作業が著しく簡素化される。
【００１０】
【実施例】
以下、本発明を実施例を参照しながら具体的に説明する。
図１は本発明の実施例の横断平面図、図２は底部からみた斜視図である。
【００１１】
これらの図において、１は取付金具、１ａは軸部の第１ねじ部、１ｂは軸部先端の第２ねじ部、１ｃはねじなし部、１ｄはフック部、２は碍子本体、２ａ，２ｂは電線巻付け部、２ｃはスリット部、３は蝶ナットである。
【００１２】
第１ねじ部１ａと第２ねじ部１ｂの間にねじなし部１ｃを形成するには、取付金具１の原材料である丸棒材のねじ形成部分を鍛造等によりねじ非形成部分よりもねじ山の高さ分大径とし、その大径の部分にねじを切ることにより製作することができる。ねじなし部１ｃは例えば１０ｍｍ程度とする。
【００１３】
上記の構成の電線碍子は、出荷時においては、図３のように蝶ナット３をねじなし部１ｃの部分に組み立てておくと、第２ねじ部１ｂがあるため輸送時の振動等で蝶ナット３が外れることはない。取り付け時には、蝶ナット３を第２ねじ部１ｂの長さ分だけ回して取り外し、図４のように蝶ナット３、碍子本体２、取付金具１を分離取り外し、取付金具１のフック部１ｄをポールＰに引っ掛け、取付金具１の軸部を碍子本体２の貫通穴２ｄに挿入し、蝶ナット３を第２ねじ部１ｂの先端１ｂ’に当てがい、回し、第２ねじ部１ｂを移動通過させ、次にねじなし部１ｃを、蝶ナット３を回転させることなく移動通過させ、蝶ナット３を第１ねじ部１ａの先端１ａ’まで押し当て、その後蝶ナット３を数回回転させ締め付け取り付ける。完了図が図５である。
【００１４】
また、ポールＰの直径が小さい場合は、図４のように蝶ナット３、取付金具１、碍子本体２を分離取り外す必要はなく、図６、図７のように取付金具１のフック部１ｄをポールＰに引っ掛け、その後蝶ナット３を第１ねじ部１ａの先端１ａ’に押し当て、数回程度回すだけで取り付けることができる。碍子本体２には電線巻付け部２ａ，２ｂ及びスリット部２ｃが設けられており、ここに電線を巻き付けたり、季節による温度差による弛みをとるために巻き直したりすることができる。
【００１５】
【発明の効果】
上述したように、本発明によれば、取付金具にねじなし部を形成したので、ナットを何度も回して緩めたり締め付けたりする作業が著しく簡略化でき、多数の碍子を取り付ける際の手間と時間を短縮することができる。
【図面の簡単な説明】
【図１】  本発明の実施例の横断平面図である。
【図２】  同実施例の底部から見た斜視図である。
【図３】  同実施例の梱包時の組立状態を示す斜視図である。
【図４】  同実施例のポールへの取り付け状態を示す分解斜視図である。
【図５】  ポールに取り付けた状態を示す斜視図である。
【図６】  小径のポールへの取り付け状態を示す斜視図である。
【図７】  図６の横断面図である。
【図８】  裸電線を碍子によってポール間に張り巡らしている状態を示す説明図である。
【図９】  従来の電線碍子の横断平面図である。
【図１０】  従来におけるポールへの取り付け状態を示す分解斜視図である。
【図１１】  従来の梱包時の組立状態を示す斜視図である。
【図１２】  従来のポールへの取り付け状態を示す斜視図である。
【符号の説明】
１  取付金具、１ａ  第１ねじ部、１ａ’第１ねじ部の先端、１ｂ  第２ねじ部、１ｂ’第２ねじ部の先端、１ｃ  ねじなし部、１ｄ  フック部、２  碍子本体、２ａ，２ｂ  電線巻付け部、２ｃ  スリット部、２ｄ  貫通穴、３  蝶ナット、Ｐ  ポール
【図１】
0003720407.tif 000002
【図２】
0003720407.tif 000003
【図３】
0003720407.tif 000004
【図４】
0003720407.tif 000005
【図５】
0003720407.tif 000006
【図６】
0003720407.tif 000007
【図７】
0003720407.tif 000008
【図８】
0003720407.tif 000009
【図９】
0003720407.tif 000010
【図１０】
0003720407.tif 000011
【図１１】
0003720407.tif 000012
【図１２】
0003720407.tif 000013